(57)【要約】【課題】ＩＤＣセンサを用いた階調調整に際に、転写する紙種に応じた階調調整を可能にする。【解決手段】予め定めた入力階調特性によって画像形成した階調調整用画像をＩＤＣセンサで読みとり、該ＩＤＣセンサの出力値をＩＤＣセンサ補正係数によって測色値に変換し、該測色値に基づいて画像形成の階調特性を調整する画像処理方法において、紙種に応じた複数のＩＤＣセンサ補正係数を用意しておき、画像形成に際し、前記複数のＩＤＣセンサ補正係数のうち、画像形成を行う紙種に応じたＩＤＣセンサ補正係数を利用して、前記階調特性の調整を行う。紙種に応じて誤差なく階調調整を行うことができ、より高精度の調整が可能になる。紙種毎の最高出力濃度や階調性が適切に管理され、階調特性の向上、色域の拡大効果がある。【選択図】図５
2007189366.tif 000002
【特許請求の範囲】
【請求項１】
予め定めた入力階調特性によって画像形成した階調調整用画像をＩＤＣセンサで読みとり、該ＩＤＣセンサの出力値をＩＤＣセンサ補正係数によって測色値に変換し、該測色値に基づいて画像形成の階調特性を調整する画像処理方法において、紙種に応じた複数のＩＤＣセンサ補正係数を用意しておき、画像形成に際し、前記複数のＩＤＣセンサ補正係数のうち、画像形成を行う紙種に応じたＩＤＣセンサ補正係数を利用して、前記階調特性の調整を行うことを特徴とする画像処理方法。
【請求項２】
前記ＩＤＣセンサ補正係数は、出力スクリーン別に紙種に応じて複数備えるものであることを特徴とする請求項１記載の画像処理方法。
【請求項３】
前記ＩＤＣセンサ補正係数は、転写紙の線速別に紙種に応じて複数備えるものであることを特徴とする請求項１または２に記載の画像処理方法。
【請求項４】
前記ＩＤＣセンサ補正係数は、画像形成を行う色別に紙種に応じて複数備えるものであることを特徴とする請求項１〜３のいずれかに記載の画像処理方法。
【請求項５】
前記画像形成を行う紙種は、画像形成に先立って紙種選択によって設定がなされているものであることを特徴とする請求項１〜４のいずれかに記載の画像処理方法。
【請求項６】
前記画像形成を行う紙種は、紙種センサによって検知されることを特徴とする請求項１〜４のいずれかに記載の画像処理方法。
【請求項７】
前記ＩＤＣ補正係数は、所定の紙種の転写紙に形成をした前記階調調整用画像の測色値と該階調調整用画像を読取ったＩＤＣセンサの出力値とによって算出され、前記階調調整用画像の画像形成が行われた転写紙の前記紙種に関連付けられることを特徴とする請求項１〜６のいずれかに記載の画像処理方法。
【請求項８】
前記ＩＤＣ補正係数は、回帰計算によって自動的に算出されることを特徴とする請求項７記載の画像処理方法。
【請求項９】
前記階調特性の調整では、前記測色値をγ補正して、画像形成に要求される階調特性に応じて出力画像濃度を調整することを特徴とする請求項１〜８のいずれかに記載の画像処理方法。
【請求項１０】
画像データに基づいて画像形成を行う画像形成手段と、予め定めた入力階調特性によって前記画像形成手段で階調調整用画像を形成させる階調調整用画像形成指示手段と、前記階調調整用画像を読取るＩＤＣセンサと、紙種に応じた複数のＩＤＣセンサ補正係数を格納するＩＤＣセンサ補正係数記憶手段と、画像形成を行う転写紙の紙種を設定する紙種設定手段と、前記ＩＤＣセンサの出力値と前記ＩＤＣセンサ補正係数記憶手段から読み出された紙種に応じたＩＤＣセンサ補正係数とから測色値を演算する測色値演算手段と、前記測色値に基づいて前記画像形成手段における出力画像濃度を調整する出力画像濃度調整手段とを備えることを特徴とする画像処理装置。
【請求項１１】
前記階調調整用画像および画像形成に際しての出力スクリーンを設定する出力スクリーン設定入力手段を備えることを特徴とする請求項１０記載の画像処理装置。
【請求項１２】
前記ＩＤＣセンサ補正係数記憶手段は、出力スクリーン別に紙種に応じた複数のＩＤＣセンサ補正係数を格納することを特徴とする請求項１０または１１に記載の画像処理装置。
【請求項１３】
前記ＩＤＣセンサ補正係数記憶手段は、転写紙の線速別に紙種に応じた複数のＩＤＣセンサ補正係数を格納することを特徴とする請求項１０〜１２のいずれかに記載の画像処理装置。
【請求項１４】
前記ＩＤＣセンサ補正係数記憶手段は、画像形成を行う色別に紙種に応じた複数のＩＤＣセンサ補正係数を格納することを特徴とする請求項１０〜１３のいずれかに記載の画像処理装置。
【請求項１５】
前記紙種設定手段は、操作者が給紙する転写紙の紙種の選択を行う紙種選択入力手段を備えることを特徴とする請求項１０〜１４のいずれかに記載の画像処理装置。
【請求項１６】
前記転写紙の紙種の選択は、画像処理装置に備える複数の給紙トレイ毎に可能であることを特徴とする請求項１５記載の画像処理装置。
【請求項１７】
前記紙種設定手段は、画像処理装置に備える給紙手段に配置された転写紙の紙種を検知する紙種センサを備えることを特徴とする請求項１０〜１６のいずれかに記載の画像処理装置。
【請求項１８】
前記出力画像濃度調整手段は、前記測色値を出力画像濃度に変換するγ補正値を格納するγ補正値記憶手段を備えることを特徴とする請求項１０〜１７のいずれかに記載の画像処理装置。
【請求項１９】
所定の紙種の転写紙に形成をした前記階調調整用画像の測色値と該階調調整用画像を読取ったＩＤＣセンサの出力値とによってＩＤＣ補正係数を算出し、該ＩＤＣ補正係数を前記紙種に関連付けて前記ＩＤＣ補正係数記憶手段に記憶させるＩＤＣ補正係数取得手段を備えることを特徴とする請求項１０〜１８のいずれかに記載の画像処理装置。
【請求項２０】
前記ＩＤＣ補正係数取得手段は、前記ＩＤＣ補正係数を、さらに出力スクリーン、線速および色の少なくとも一つに関連付けて前記ＩＤＣ補正係数記憶手段に記憶させることを特徴とする請求項１９記載の画像処理装置。
【発明の詳細な説明】
【技術分野】
【０００１】
この発明は、階調調整用画像をＩＤＣセンサで読み取り、該センサの出力値を利用して画像形成の階調特性を調整する画像処理装置および画像処理方法に関するものである。
【背景技術】
【０００２】
従来、複写機、プリンタ等の画像処理装置において、良好な階調性を有する画像を出力するため、転写紙の紙種に応じて画像濃度の調整を行う技術が提案されている（特許文献１、２参照）。
例えば特許文献１では、転写紙の紙種を検知手段で検知して、検知された転写紙の紙種情報に基づいて対応する濃度補正データを記憶手段から選択し、該濃度補正データに基づいて画像形成を行う装置が提案されている。
また、特許文献２では、画像形成に供給する転写紙の種類を選択させるための紙種選択画面と画像形成条件を紙種毎に選択させるための画像濃度選択画面とを表示操作可能にして、選択された画像濃度の設定情報に基づいて画像形成を行う装置が提案されている。
【特許文献１】特開２００４−０８２４８７号公報
【特許文献２】特開２００４−１８４５０９号公報
【発明の開示】
【発明が解決しようとする課題】
【０００３】
ところで、画像形成を行う画像形成部では、トナー濃度のバラツキや周囲環境の変化などによって動作にバラツキが生じ、出力画像の階調が安定しないため階調性の低下や色域の狭小化を招き、出力品質が低下するという問題がある。しかし、上記従来技術では、紙種の相違による画像濃度の調整は行われるものの、画像形成装置の動作バラツキによって出力画像の品質が低下するという上記問題を解決することができない。
【０００４】
このため、従来、画像形成部の動作のバラツキによる階調を安定化させるために、予め定めた階調特性によって画像形成部で階調調整用画像を形成し、この階調調整用画像を装置内部に配置したＩＤＣ（イメージ・デンシティ・コントローラ）センサで読み取る階調調整が行われている。この階調調整では、前記ＩＤＣセンサの出力値をＩＤＣ補正係数によって測色値に変換し、階調調整用画像の形成における入力階調特性と前記測色値との関係からγ補正を行って、画像形成を行う際に、出力画像の階調特性の調整を行っている。しかし、この階調調整方法では、画像形成を行う転写紙の紙種が考慮されていないため、紙種の違いによって階調調整に誤差が生じてしまうという問題がある。
【０００５】
本発明は、上記事情を背景としてなされたものであり、紙種が異なる場合にも出力画像の階調調整を誤差なく行ってその精度を上げ、よって出力画像の品質を向上させることができる画像処理装置および画像処理方法を提供することを目的とする。
【課題を解決するための手段】
【０００６】
すなわち本発明の画像処理方法のうち、請求項１記載の発明は、予め定めた入力階調特性によって画像形成した階調調整用画像をＩＤＣセンサで読みとり、該ＩＤＣセンサの出力値をＩＤＣセンサ補正係数によって測色値に変換し、該測色値に基づいて画像形成の階調特性を調整する画像処理方法において、紙種に応じた複数のＩＤＣセンサ補正係数を用意しておき、画像形成に際し、前記複数のＩＤＣセンサ補正係数のうち、画像形成を行う紙種に応じたＩＤＣセンサ補正係数を利用して、前記階調特性の調整を行うことを特徴とする。
【０００７】
請求項１記載の発明によれば、階調特性の調整において、紙種に応じたＩＤＣ補正係数が利用され、この紙種に対応したＩＤＣ補正係数に基づいて測色値の変換がなされ、画像形成に際し転写紙の紙種に適切に応じた階調調整がなされる。なお、紙種に応じたＩＤＣ補正係数の利用は直接的でもよく、また、該ＩＤＣ補正係数により導かれる関数、パラメータなどによる間接的な利用であってもよい。
【０００８】
請求項２記載の画像処理方法の発明は、請求項１記載の発明において、前記ＩＤＣセンサ補正係数は、出力スクリーン別に紙種に応じて複数備えるものであることを特徴とする。
【０００９】
請求項２記載の発明によれば、ＩＤＣ補正係数が利用出力スクリーンに対応して紙種毎に用意されるので、紙種だけでなく、出力スクリーンにも応じた適切なＩＤＣ補正係数を利用することができ、階調調整がより精度よくなされる。なお、出力スクリーンは、階調表現を面積階調法により行うものであり、その形状は種々のものがあり、ドット状、ライン状のものもあり、したがって、本発明では、所望により所定数のスクリーンを備えることができる。
【００１０】
請求項３記載の画像処理方法の発明は、請求項１または２に記載の発明において、前記ＩＤＣセンサ補正係数は、転写紙の線速別に紙種に応じて複数備えるものであることを特徴とする。
【００１１】
請求項３記載の発明によれば、ＩＤＣ補正係数が線速に対応して紙種毎に用意されるので、紙種だけでなく、線速にも応じた適切なＩＤＣ補正係数を利用することができ、階調調整がより精度よくなされる。なお、線速は、画像形成に際しての転写紙の送り速度である。
【００１２】
請求項４記載の画像処理方法の発明は、請求項１〜３のいずれかに記載の発明において、前記ＩＤＣセンサ補正係数は、画像形成を行う色別に紙種に応じて複数備えるものであることを特徴とする。
【００１３】
請求項４記載の発明によれば、ＩＤＣ補正係数が画像形成を行う色に対応して紙種毎に用意されるので、紙種だけでなく、色にも応じた適切なＩＤＣ補正係数を利用することができ、カラー画像形成においても階調調整がより精度よくなされる。
【００１４】
請求項５記載の画像処理方法の発明は、請求項１〜４のいずれかに記載の発明において、前記画像形成を行う紙種は、画像形成に先立って紙種選択によって設定がなされているものであることを特徴とする。
【００１５】
請求項５記載の発明によれば、操作者の設定または予めなされた初期設定によって紙種の設定がなされており、該設定により決定される紙種に応じてＩＤＣ補正係数の選択もなされる。紙種の設定は、給紙トレイ毎に行うことができ、画像形成に用いられる給紙トレイの設定紙種が階調調整に利用される。
【００１６】
請求項６記載の画像処理方法の発明は、請求項１〜４のいずれかに記載の発明において、前記画像形成を行う紙種は、紙種センサによって検知されることを特徴とする。
【００１７】
請求項６記載の発明によれば、画像処理装置に備える転写紙が紙種センサによって検知されて紙種に応じたＩＤＣ補正係数の選択がなされる。紙種センサは、本発明としては特定の構成に限定されない。例えば転写紙に対し光を照射し、その反射率によって紙種を検知するものが例示される。
【００１８】
請求項７記載の画像処理方法の発明は、請求項１〜６のいずれかに記載の発明において、前記ＩＤＣ補正係数は、所定の紙種の転写紙に形成をした前記階調調整用画像の測色値と該階調調整用画像を読取ったＩＤＣセンサの出力値とによって算出され、前記階調調整用画像の画像形成が行われた転写紙の前記紙種に関連付けられることを特徴とする。
【００１９】
請求項７記載の発明によれば、所定の紙種の転写紙に形成をした前記階調調整用画像の測色値を適宜の測定手段で読取り、その測色値とＩＤＣセンサ出力値とから紙種に応じたＩＤＣ補正係数が算出されて階調調整に利用される。該算出によってＩＤＣ補正係数自体の補正を行うことができる。
【００２０】
請求項８記載の画像処理方法の発明は、請求項７記載の発明において、前記ＩＤＣ補正係数は、回帰計算によって自動的に算出されることを特徴とする。
【００２１】
請求項８記載の発明によれば、複数の前記測色値とＩＤＣセンサ出力値との関係から回帰計算によってＩＤＣ補正係数を算出することができ、ＩＤＣ補正係数をより適切な数値に補正することもできる。
【００２２】
請求項９記載の画像処理方法の発明は、請求項１〜８のいずれかに記載の発明において、前記階調特性の調整では、前記測色値をγ補正して、画像形成に要求される階調特性に応じて出力画像濃度を調整することを特徴とする。
【００２３】
請求項９記載の発明によれば、入力階調特性と階調調整において算出された測色値の関係をγ補正値によって補正することで、所望の階調特性に対する出力画像濃度を調整して階調調整を行うことができる。
【００２４】
請求項１０記載の画像処理装置の発明は、画像データに基づいて画像形成を行う画像形成手段と、予め定めた入力階調特性によって前記画像形成手段で階調調整用画像を形成させる階調調整用画像形成指示手段と、前記階調調整用画像を読取るＩＤＣセンサと、紙種に応じた複数のＩＤＣセンサ補正係数を格納するＩＤＣセンサ補正係数記憶手段と、画像形成を行う転写紙の紙種を設定する紙種設定手段と、前記ＩＤＣセンサの出力値と前記ＩＤＣセンサ補正係数記憶手段から読み出された紙種に応じたＩＤＣセンサ補正係数とから測色値を演算する測色値演算手段と、前記測色値に基づいて前記画像形成手段における出力画像濃度を調整する出力画像濃度調整手段とを備えることを特徴とする。
【００２５】
請求項１０記載の発明によれば、画像形成指示手段の指示に基づいて画像形成手段において階調調整用画像が形成され、該階調調整用画像は、ＩＤＣセンサで読み取られて出力値が得られる。紙種設定手段では紙種の設定がなされており、また、ＩＤＣ補正係数記憶手段では紙種に応じて複数のＩＤＣ補正係数が格納されており、前記設定がなされた紙種に応じてＩＤＣ補正係数記憶手段からＩＤＣ補正係数が読み出される。この読み出されたＩＤＣ補正係数と前記ＩＤＣセンサの出力値とから測色値演算手段で測色値が演算される。この測色値と画像形成に要求される階調特性とから出力画像濃度調整手段によって出力画像の濃度調整がなされて適切な階調調整がなされる。
【００２６】
請求項１１記載の画像処理装置は、請求項１０記載の発明において、前記階調調整用画像および画像形成に際しての出力スクリーンを設定する出力スクリーン設定入力手段を備えることを特徴とする。
【００２７】
請求項１１記載の発明によれば、画像形成に際しての出力スクリーンを出力スクリーン設定入力手段によって設定することができ、該出力スクリーンは、階調調整および画像形成の階調特性の一部として用いられる。
【００２８】
請求項１２記載の画像処理装置の発明は、請求項１０または１１に記載の発明において、前記ＩＤＣセンサ補正係数記憶手段は、出力スクリーン別に紙種に応じた複数のＩＤＣセンサ補正係数を格納することを特徴とする。
【００２９】
請求項１２記載の発明によれば、出力スクリーンに対応して紙種毎にＩＤＣ補正係数を用意することができ、紙種だけでなく、出力スクリーンにも応じた適切なＩＤＣ補正係数を選択することができる。
【００３０】
請求項１３記載の画像処理装置の発明は、請求項１０〜１２のいずれかに記載の発明において、前記ＩＤＣセンサ補正係数記憶手段は、転写紙の線速別に紙種に応じた複数のＩＤＣセンサ補正係数を格納することを特徴とする。
【００３１】
請求項１３記載の発明によれば、線速に対応して紙種毎にＩＤＣ補正係数を用意することができ、紙種だけでなく、線速にも応じた適切なＩＤＣ補正係数を選択することができる。
【００３２】
請求項１４記載の画像処理装置の発明は、請求項１０〜１３のいずれかに記載の発明において、前記ＩＤＣセンサ補正係数記憶手段は、画像形成を行う色別に紙種に応じた複数のＩＤＣセンサ補正係数を格納することを特徴とする。
【００３３】
請求項１４記載の発明によれば、画像形成を行う色別に対応して紙種毎にＩＤＣ補正係数を用意することができ、紙種だけでなく、色別にも応じた適切なＩＤＣ補正係数を選択することができる。
【００３４】
請求項１５記載の画像処理装置の発明は、請求項１０〜１４のいずれかに記載の発明において、前記紙種設定手段は、操作者が給紙する転写紙の紙種の選択を行う紙種選択入力手段を備えることを特徴とする。
【００３５】
請求項１５記載の発明によれば、階調調整及び画像形成を行う転写紙の紙種を紙種選択入力手段によって設定することができる。
【００３６】
請求項１６記載の画像処理装置の発明は、請求項１５記載の発明において、前記転写紙の紙種の選択は、画像処理装置に備える複数の給紙トレイ毎に可能であることを特徴とする。
【００３７】
請求項１６記載の発明によれば、給紙トレイ毎に転写紙の紙種を設定して、画像形成に際し選択される給紙トレイに応じて転写紙の紙種情報を取得することができる。
【００３８】
請求項１７記載の画像処理装置は、請求項１０〜１６のいずれかに記載の発明において、前記紙種設定手段は、画像処理装置に備える給紙手段に配置された転写紙の紙種を検知する紙種センサを備えることを特徴とする。
【００３９】
請求項１７記載の発明によれば、紙種センサによって階調調整および画像形成に用いられる転写紙の紙種情報を取得することができる。なお、紙種センサによる検知は、給紙トレイ毎に行うことも可能である。
【００４０】
請求項１８記載の画像処理装置の発明は、請求項１０〜１７のいずれかに記載の発明において、前記出力画像濃度調整手段は、前記測色値を出力画像濃度に変換するγ補正値を格納するγ補正値記憶手段を備えることを特徴とする。
【００４１】
請求項１８記載の発明によれば、ＩＤＣ補正係数によってＩＤＣ出力値から変換された測色値に基づいて、γ補正値記憶手段に格納されたγ補正値を読み出して画像形成に際しての出力画像濃度を算出することができる。
【００４２】
請求項１９記載の画像処理装置に発明は、請求項１０〜１８のいずれかに記載の発明において、所定の紙種の転写紙に形成をした前記階調調整用画像の測色値と該階調調整用画像を読取ったＩＤＣセンサの出力値とによってＩＤＣ補正係数を算出し、該ＩＤＣ補正係数を前記紙種に関連付けて前記ＩＤＣ補正係数記憶手段に記憶させるＩＤＣ補正係数取得手段を備えることを特徴とする。
【００４３】
請求項１９記載の発明によれば、所定の紙種の転写紙に形成をした前記階調調整用画像の測色値を適宜の測定手段で読取り、その測色値とＩＤＣセンサ出力値とから紙種に応じたＩＤＣ補正係数がＩＤＣ補正係数取得手段により算出され、紙種に関連付けて前記ＩＤＣ補正係数記憶部の適切なテーブル位置にＩＤＣ補正係数を格納して階調調整に利用することができる。
【００４４】
請求項２０記載の画像処理装置の発明は、請求項１９記載の発明において、前記ＩＤＣ補正係数取得手段は、前記ＩＤＣ補正係数を、さらに出力スクリーン、線速および色の少なくとも一つに関連付けて前記ＩＤＣ補正係数記憶手段に記憶させることを特徴とする。
【００４５】
請求項１９記載の発明によれば、出力スクリーン、線速または色別において、紙種毎にＩＤＣ補正係数をＩＤＣ補正係数記憶手段に格納することができ、紙種だけでなく、出力スクリーン等にも対応してより精度良く階調調整を行うことができる。
【発明の効果】
【００４６】
以上説明したように本発明の画像処理方法によれば、予め定めた階調特性によって画像形成した階調調整用画像をＩＤＣセンサで読みとり、該ＩＤＣセンサの出力値をＩＤＣセンサ補正係数によって測色値に変換し、該測色値に基づいて画像形成の階調特性を調整する画像処理方法において、紙種に応じた複数のＩＤＣセンサ補正係数を用意しておき、画像形成に際し、前記複数のＩＤＣセンサ補正係数のうち、画像形成を行う紙種に応じたＩＤＣセンサ補正係数を利用して、前記階調特性の調整を行うので、紙種に応じて誤差なく階調調整を行うことができ、より高精度の調整が可能になる。また、これにより紙種毎の最高出力濃度や階調性が適切に管理され、階調特性の向上や色域が拡大する効果があり、出力品質が向上する。また、同じ紙種であれば、同様の階調特性に調整されるので、安定的な出力管理が可能になる。
【００４７】
また、本発明の画像処理装置によれば、画像データに基づいて画像形成を行う画像形成手段と、予め定めた階調特性によって前記画像形成手段で階調調整用画像を形成させる階調調整用画像形成指示手段と、前記階調調整用画像を読取るＩＤＣセンサと、紙種に応じた複数のＩＤＣセンサ補正係数を格納するＩＤＣセンサ補正係数記憶手段と、画像形成を行う転写紙の紙種を設定する紙種設定手段と、前記ＩＤＣセンサの出力値と前記ＩＤＣセンサ補正係数記憶部から読み出された紙種に応じたＩＤＣセンサ補正係数とから測色値を演算する測色値演算手段と、前記測色値に基づいて前記画像形成手段における出力画像濃度を調整する出力画像濃度調整手段とを備えるので、上記階調調整が誤差なく、高い精度で行える効果がある。
【発明を実施するための最良の形態】
【００４８】
以下に、本発明の一実施形態を添付図面に基づいて説明する。図１は、本発明の画像処理装置１を機能面で示すブロック図である。
すなわち、画像処理装置１は、画像処理装置１全体を制御する制御部２を有しており、該制御部２は、ＣＰＵおよびこれを動作させるプログラムによって構成することができる。画像処理装置１は、さらにスキャナ部３を有しており、原稿を読取って画像データを取得することができる。該スキャナ部３の詳細を図２に基づいて説明する。なお、図２は、画像処理装置１の機械構造を簡略に示す図である。
【００４９】
スキャナ部３は、画像処理装置１のプラテン１ａの下方に配置された光源３０とミラー群３１、３２、３３、レンズ３４等からなる光学系を有しており、これら光学系が副走査方向に駆動されて原稿の読取りが可能になっている。光源３０からの照射されて原稿から反射された光は、上記光学系を通して受光部３５で受光されて画像データが生成される。受光部３５は、イメージセンサ等により構成される。なお、この図では図示されていないが、原稿読み取りユニットにＡＤＦ（自動原稿送り装置）を備えるものであってもよい。
【００５０】
画像処理装置１は、上記受光部３５の出力をＡ／Ｄ変換し、さらに、画像データの補正処理などを行って、画像形成に対応した書き込みデータを生成する画像処理部４を有している。画像データは、上記スキャナ部３による読取りによって取得する他、ネットワークなどを介して取得したものであってもよい。
【００５１】
画像処理装置１は、上記画像処理部４で処理がなされた書き込みデータに基づいて転写紙への画像形成を行う画像形成部５を本発明の画像形成手段として備えている。
画像形成部５の具体的構成を図２に基づいて説明すると、該画像形成部５は、複数組の原稿書き込みユニット５０Ｙ、５０Ｍ、５０Ｃ、５０Ｋを備えている。原稿書き込みユニット５０Ｙはイエロー色、原稿書き込みユニット５０Ｍはマゼンタ色、原稿書き込みユニット５０Ｃはシアン色、原稿書き込みユニット５０Ｋは黒色の画像形成が可能になっている。上記原稿書き込みユニット５０Ｙ、５０Ｍ、５０Ｃ、５０Ｋにそれぞれ対応して、感光体５１Ｙ、５１Ｍ、５１Ｃ、５１Ｋ、帯電手段５２Ｙ、５２Ｍ、５２Ｃ、５２Ｋ、現像手段５３Ｙ、５３Ｍ、５３Ｃ、５３Ｋ、クリーナ５４Ｙ、５４Ｍ、５４Ｃ、５４Ｋを備えている。また、複数のローラに巻回され、回転可能に支持されて上記感光体５０Ｙ、５０Ｍ、５０Ｃ、５０Ｋと接触可能に配置されたエンドレスベルト形状の中間転写ベルト５６と該中間転写ベルト５６を上記感光体５０Ｙ、５０Ｍ、５０Ｃ、５０Ｋに接触させて画像を転写させる一次転写ローラ５５Ｙ、５５Ｍ、５５Ｃ、５５Ｋを有している。なお、図中５８は、転写紙に転写された画像を定着させる定着器である。
【００５２】
画像処理装置１は、図１、２に示すようにＩＤＣセンサ７を備えており、図２の機械構造では、中間転写ベルト５６に形成された階調調整用画像を読取るように配置されている。
図３は、中間転写ベルトを用いないで感光体１０に階調調整用画像２０を形成する形態におけるＩＤＣセンサ７の詳細を示すものであり、中間転写ベルト５６に階調調整用画像を形成するものと同様の配置構成となる。
【００５３】
すなわち、ＩＤＣセンサ７は、感光体１０や上記中間転写ベルト５６などに複数階調からなるパッチパターン２０ａ…２０ｄを階調調整用画像として形成する。これら複数のパターンは、感光体１０や中間転写ベルト５６の周方向に所定の周期間隔を置いて形成される。階調調整用画像２０は、予め定めた階調特性によって形成されており、例えば、階調の他、予め定めた出力スクリーンなどによって形成される。階調調整用画像２０は、適宜のタイミング、例えばウォーミングアップ時などの形成されて階調調整に用いられるが、本発明としては、そのタイミングが特に限定されるものではない。階調調整用画像２０は、制御部２の指令によって、画像処理部４、画像形成部５を制御して感光体１０や中間転写ベルト５６に形成される。したがって、制御部２は、階調調整用画像形成指示手段として機能する。
【００５４】
ＩＤＣセンサ７は、図３の拡大図に示すように、階調調整用画像２０に検査光を照射するＬＥＤなどの発光部７ａと、階調調整用画像２０で検査光が反射した反射光を受光するホトトランジスタなどの受光部７ｂとを有している。受光部７ｂでは、階調調整用画像２０における反射率等を出力値として出力する。該出力は、前記制御部２に入力される。ＩＤＣセンサ７の出力値は、上記のように反射率等が反映された電圧値などとして得られるため、図４（ａ）に示すように、階調調整用画像２０を形成する際の入力階調に応じたセンサ出力値が得られる。
【００５５】
また、画像処理装置１では、タッチパネルなどによって構成される操作表示部６を備えている。該操作表示部６は、制御部２によって制御され、画像処理装置１における印刷設定や動作制御条件などの設定入力が可能になっており、さらに設定内容やメッセージ等の表示が可能になっている。そして操作表示部６は、後述する給紙トレイにおける紙種の設定入力や出力スクリーンの設定入力が可能になっている。すなわち、上記制御部２および操作表示部６によって本発明の紙種選択入力手段および出力スクリーン設定入力手段が構成されている。
【００５６】
さらに画像処理装置１では、画像処理装置１における機械設定などを格納しておく記憶部８を有しており、該記憶部８は、フラッシュメモリなどにより構成することができる。記憶部８では、上記ＩＤＣセンサ７における出力値を測色値に変換するためのＩＤＣ補正係数を格納するＩＤＣ補正係数記憶部８０を有している。測色値は、ＸＹＺ値、明度、濃度などを表すものが適宜選択される。このＩＤＣ補正係数を用いることで図４（ｂ）に示すようにＩＤＣセンサ７の出力値から測色値が得られる。
【００５７】
ＩＤＣ補正係数記憶部８０に格納されるＩＤＣ補正係数は、紙種毎の他に、色別および出力スクリーン別に設定されている。図５〜７にその一例を示すと、イエロー色、マゼンタ色、シアン色およびスクリーン１、２別に、普通紙、コート紙の紙種毎に、ＩＤＣ補正係数が設定されている。なお、コート紙の場合、線速が自動的に小さくなるように設定されている。上記ＩＤＣ補正係数に基づいた測色値の演算は、前記制御部２により行われる。したがって、制御部２は、測色値演算手段としての機能を有している。
【００５８】
また、記憶部８では、上記ＩＤＣ補正係数によって算出された測色値と入力階調特性との関係から、出力画像濃度を調整するγ補正値が格納されるγ補正値記憶部８１を有している。γ補正値は、ＩＤＣセンサ７を用いた階調調整毎に更新することができる。図４（ｃ）に示すように、該γ補正値に基づいて、階調調整用画像に設定された入力階調についてγ補正を行って出力画像濃度を算出することができる。該算出は、制御部２で行われる。また、制御部２では、算出結果に基づいて前記画像形成部５を制御して画像形成に際し、出力画像濃度を調整する。したがって、制御部２は、出力画像濃度調整手段としての機能を有している。
【００５９】
さらに、画像処理装置１では、画像形成を行う転写紙を供給する給紙部９を本発明の給紙手段として備えており、該給紙部９は、複数の給紙トレイ９０、９１、９２と手差しトレイ９３とを備えている。該給紙部９では、制御部２の制御によって給紙する転写紙の速度、すなわち線速の変更が可能になっている。また、給紙トレイには、給紙トレイに収納されている転写紙の紙種を検知する紙種センサ９５を設置することができる。該紙種センサ９５は、例えば転写紙に検査光を照射する発光部と転写紙からの反射光を受ける受光部とによって構成することができ、その反射率によって紙種の判定を行うことができる。
【００６０】
次に、上記画像処理装置における階調調整の方法を説明する。
先ず、予め各給紙トレイ９０〜９２および手差しトレイにおける紙種の設定を行っておく。該紙種設定は、操作表示部６による操作入力により行うことができる。
図８は、該操作表示部６における紙種設定画面６０の一例を示すものである。該紙種設定画面６０の左側には、各給紙トレイ９０〜９２、手差しトレイを選択するトレイ選択キー群６１が選択操作可能に表示されており、紙種設定画面６０の中央には、各紙種の選択を行う紙種選択キー群６３が選択操作可能に表示されている。また、紙種設定画面６０の右側には、紙種の選択を確定するＯＫキー６０ａと、設定をキャンセルキャンセルキー６０ｂとが選択操作可能に表示されている。
【００６１】
上記操作表示部６における紙種設定の手順を説明すると、設定すべきトレイをトレイ選択キー群６１により選択する。次いで、選択したトレイに対応する紙種を紙種選択キー群６３により選択し、ＯＫキー６０ａの押釦により確定する。各トレイについて同様の手順を繰り返すことで所望のトレイについて紙種の選択がなされる。
上記設定後は、画像形成に際し、給紙すべきトレイを選択することで転写紙の紙種が自動的に設定される。なお、紙種の設定は、上記操作入力による他、前記で説明した紙種センサによる検知によってなされるものであってもよい。
トレイ毎の紙種の設定は、予め行っておくことにより画像形成毎に行う必要はないが、所望により画像形成時に設定を行うものであってもよい。
【００６２】
また、操作表示部６では、出力スクリーンの設定を行うことができる。この実施形態では、出力スクリーンの別は、図８に示すように、出力スクリーン設定画面６６において画質設定キー群６７（「文字写真」、「写真」、「文字」の別）による選択を行うように構成されている。なお、本発明として出力スクリーンの内容を直接的に表示する操作画面に表示するものであってもよい。
該出力スクリーンの設定は、画質設定キー群６７の所望の画質を選択し、ＯＫキー６６ａを押釦することで確定することができる。設定のキャンセルはキャンセルキー６６ｂにより行う。出力スクリーンの設定は、初期設定としてなされているものであってもよく、また、画像形成に際し設定を行うものであってもよい。
【００６３】
次に、階調調整用画像の形成について説明する。
制御部２では、階調調整用画像形成指示手段として、ウォーミングアップ時（完了時）などの適宜のタイミングで画像処理部４および画像形成部５に指令を出し、中間転写ベルト５６などに階調調整用画像２０の形成を行わせる。該階調調整用画像は、色別、出力スクリーン別に、それぞれ階調を変えた複数の階調パッチパターンを所定の周期間隔で形成する。階調パッチパターンは、例えば予め記憶部８に記憶させておき、そのデータを適宜読み出して画像形成に用いることができる。
階調調整用画像２０の形成は、画像形成指令に従って、前記原稿書き込みユニット５０Ｙ、５０Ｍ、５０Ｃ、５０Ｋによって形成された潜像が、前記感光体５１Ｙ、５１Ｍ、５１Ｃ、５１Ｋ、帯電手段５２Ｙ、５２Ｍ、５２Ｃ、５２Ｋ、現像手段５３Ｙ、５３Ｍ、５３Ｃ、５３Ｋによって各色が顕像化され、一次転写ローラ５５Ｙ、５５Ｍ、５５Ｃ、５５Ｋによって中間転写ベルト５６に転写される。
【００６４】
中間転写ベルト５６に転写された階調調整用画像２０は、ＩＤＣセンサ７によって読取られ、その出力電圧値が制御部２に出力される。制御部２では、各色別、出力別、紙種別にＩＤＣ補正係数データ記憶部８０からＩＤＣ補正係数を読み出して、測色値に換算する。該測色値は、入力階調との関係からγ補正値を求め、該γ補正値を各色別、出力スクリーン別、紙種別に前記γ補正値記憶部８１に格納しておく。
また、本発明では、ＩＤＣセンサ７の読取に際し、入力階調と出力値との関係を記憶しておき、画像形成に際し、ＩＤＣ補正係数の読み出してγ補正を行うものであってもよい。
【００６５】
上記階調調整用画像２０の読込みによるγ補正値の格納後、画像形成を行う際には、前記した操作表示部６において、給紙を行う給紙トレイを選択する。この給紙トレイの選択によって給紙される紙種が決定される。また、出力スクリーンの設定は、操作入力又は初期設定によりなされる。この紙種および出力スクリーンの設定に基づいて、制御部２では、γ補正データ記憶部８１より、各色別、出力スクリーン別、紙種別に格納されているγ補正値のうちから対応するγ補正値を選択し、画像形成に要求される階調特性に基づいて出力画像濃度の調整を行う。該出力画像濃度の調整は、画像形成部５において、例えば帯電電圧、現像バイアス、露光量などの調整を行うことにより行うことができる。該出力画像濃度の調整により、転写紙の紙種や出力スクリーンに応じて適切な階調調整がなされ、品質の高い出力画像が得られる。
【００６６】
また、ＩＤＣ補正係数の取得では、所定の紙種の転写紙に、所定の出力スクリーン、線速によって階調調整用画像を転写し、これを測色器などで測色値を測定する。測色器は、画像処理装置に備えるスキャナを利用することもできる。また、上記階調調整用画像を感光体や中間転写ベルトに形成し、上記したＩＤＣセンサで読取る。このＩＤＣセンサの出力値と、前記で測定した測色値との関係から、回帰計算によってＩＤＣ補正係数を算出する。該ＩＤＣ補正係数は、色、転写紙の紙種、出力スクリーンにそれぞれ関連付けて、前記したＩＤＣ補正係数記憶部８０に記憶して利用する。したがって、制御部２は、ＩＤＣ補正係数取得手段としての機能を有している。
なお、上記画像処理装置では、スキャナを備えるものについて説明したが、本発明としては、スキャナを備えないプリンタなどの画像処理装置であってもよい。
【００６７】
以上本発明について、上記実施形態に基づいて説明を行ったが、本発明は上記説明の内容に限定されるものではなく、本発明の範囲を逸脱しない限りは、適宜の変更が可能である。
【図面の簡単な説明】
【００６８】
【図１】本発明の一実施形態における画像処理装置を示すブロック図である。
【図２】同じく、機械構造を示す装置内部概略図である。
【図３】同じく、ＩＤＣセンサによる階調調整用画像の読取例を示す図である。
【図４】同じく、ＩＤＣセンサの読取りによる出力画像濃度の調整に至る検出結果および算出結果を示すグラフである。
【図５】同じく、紙種別、色別（イエロー）、出力スクリーン別のＩＤＣ補正係数を示すグラフである。
【図６】同じく、紙種別、色別（マゼンタ）、出力スクリーン別のＩＤＣ補正係数を示すグラフである。
【図７】同じく、紙種別、色別（シアン）、出力スクリーン別のＩＤＣ補正係数を示すグラフである。
【図８】同じく、紙種設定入力画面を示す図である。
【図９】同じく、出力スクリーン設定入力画面を示す図である。
【符号の説明】
【００６９】
１    画像処理装置
２    制御部
３    スキャナ部
４    画像処理部
５    画像形成部
６    操作表示部
７    ＩＤＣセンサ
８    記憶部
８０  ＩＤＣ補正係数値記憶部
８１  γ補正値記憶部
【図１】
2007189366.tif 000003
【図２】
2007189366.tif 000004
【図３】
2007189366.tif 000005
【図４】
2007189366.tif 000006
【図５】
2007189366.tif 000007
【図６】
2007189366.tif 000008
【図７】
2007189366.tif 000009
【図８】
2007189366.tif 000010
【図９】
2007189366.tif 000011